(57)【要約】【課題】本発明は、敷居溝及びドアシューに起因する開閉動作の不具合の発生を抑えることができるエレベータのドア装置を提供する。【解決手段】複数の案内片１１は、乗場出入口１の間口方向で互いに隣り合うように、敷居溝１０ａに並べて設けられている。案内片１１は、敷居部材１０の上面から上方へ突出する突出位置と、敷居溝１０ａに収まる降下位置との間で変位可能となっている。案内片１１は、磁石７の磁力を受けたときに、降下位置から突出位置へ変位し、磁石７の磁力が途切れたとき（弱まったとき）に、重力に従い突出位置から降下位置へ変位する。案内片１１は、突出位置に配置されているときに、案内溝３ａ又は４ａの内壁と当接可能であり、案内溝３ａ又は４ａの内壁と当接することにより、ドアパネル３又は４の下部の開閉移動を案内する。【選択図】図１
2011006209.tif 000002
【特許請求の範囲】
【請求項１】
エレベータ出入口に配置され、下端面に前記エレベータ出入口の間口方向に沿って案内溝が設けられ、前記エレベータ出入口を開閉するためのドアパネルと、
前記エレベータ出入口の下部に配置され、上面に前記エレベータ出入口の間口方向に沿って敷居溝が設けられた敷居部材と、
前記敷居溝に設けられ、前記敷居部材の上面から上方へ突出する突出位置と、前記敷居溝に収まる降下位置との間で変位可能であり、前記突出位置に配置されているときに前記案内溝の内壁と当接可能であり、前記案内溝の内壁と当接することにより前記ドアパネルの下部の開閉移動を案内する案内片と、
前記ドアパネルの位置に応じて、前記案内片を前記突出位置と前記降下位置との一方から他方へ変位させる変位駆動手段と
を備えることを特徴とするエレベータのドア装置。
【請求項２】
前記案内片の形状は、前記降下位置に配置されているときに、その案内片の上面と前記敷居部材の上面とが面一となるような形状である
ことを特徴とする請求項１記載のエレベータのドア装置。
【請求項３】
前記変位駆動手段は、前記ドアパネルの下端部における前記案内溝の上側に設けられ、磁力を発する磁気吸引手段であり、
前記案内片は、強磁性体の金属によって形成され、前記敷居溝に前記エレベータ出入口の間口方向で互いに隣り合うように並べて配置された複数の案内片であり、
前記複数の案内片のそれぞれは、前記ドアパネルの開閉移動に伴って、前記磁気吸引手段の磁力により前記突出位置と前記降下位置との一方から他方へ変位される
ことを特徴とする請求項１又は請求項２に記載のエレベータのドア装置。
【請求項４】
前記複数の案内片は、前記エレベータ出入口の開口領域に配置されており、
前記敷居部材の戸袋領域には、前記敷居溝から上方に間隔をおいて、前記エレベータ出入口の間口方向に沿って、前記磁気吸引手段の磁力を遮断するための磁気遮断部材が設けられており、
前記ドアパネルの下端部における前記案内溝と前記磁気吸引手段との間には、前記ドアパネルが前記戸袋領域に進入した際に前記磁気遮断部材が挿し込まれる挿入口が設けられており、
前記敷居部材の前記戸袋領域における前記磁気遮断部材から臨む箇所には、前記ドアパネルの前記案内溝に前記磁気吸引手段によって吸着された異物を、昇降路内へ放出するための開口が空けられている
ことを特徴とする請求項３記載のエレベータのドア装置。
【発明の詳細な説明】
【技術分野】
【０００１】
この発明は、エレベータ出入口に設けられ、そのエレベータ出入口を開閉するエレベータのドア装置に関する。
【背景技術】
【０００２】
従来のエレベータのドア装置では、敷居部材の上面に設けられた敷居溝に、ドアパネルの下部に取り付けられたドアシューが挿入されている。そして、敷居溝によって、ドアパネルの下部の開閉移動が案内されるとともに、出入口の奥行方向へのドアパネルの揺動が規制される（例えば、特許文献１参照）。
【先行技術文献】
【特許文献】
【０００３】
【特許文献１】特開２００８−２６０５９６号公報
【発明の概要】
【発明が解決しようとする課題】
【０００４】
上記のような従来のエレベータのドア装置では、敷居溝に異物が堆積した場合に、その堆積箇所によってドアシューの移動が阻害されてしまい、ドアの開閉動作に不具合が生じてしまうことがある。また、例えば、開閉移動中のドアパネルに台車等が衝突することによって、ドアパネルに強い衝撃が加わった場合等には、ドアシューが変形してしまうこともあり、その変形によってもドアの開閉動作に不具合が生じてしまうことがある。
【０００５】
この発明は、上記のような課題を解決するためになされたものであり、敷居溝及びドアシューに起因する開閉動作の不具合の発生を抑えることができるエレベータのドア装置を得ることを目的とする。
【課題を解決するための手段】
【０００６】
この発明に係るエレベータのドア装置は、エレベータ出入口に配置され、下端面に前記エレベータ出入口の間口方向に沿って案内溝が設けられ、前記エレベータ出入口を開閉するためのドアパネルと、前記エレベータ出入口の下部に配置され、上面に前記エレベータ出入口の間口方向に沿って敷居溝が設けられた敷居部材と、前記敷居溝に設けられ、前記敷居部材の上面から上方へ突出する突出位置と、前記敷居溝に収まる降下位置との間で変位可能であり、前記突出位置に配置されているときに前記案内溝の内壁と当接可能であり、前記案内溝の内壁と当接することにより前記ドアパネルの下部の開閉移動を案内する案内片と、前記ドアパネルの位置に応じて、前記案内片を前記突出位置と前記降下位置との一方から他方へ変位させる変位駆動手段とを備えるものである。
【発明の効果】
【０００７】
この発明に係るエレベータのドア装置によれば、突出位置に配置された案内片が、案内溝の内壁と当接することにより、ドアパネルの下部の開閉移動を案内するので、従来のドアシューが不要となることにより、敷居溝及びドアシューに起因する開閉動作の不具合の発生を抑えることができる。
【図面の簡単な説明】
【０００８】
【図１】この発明の実施の形態１によるエレベータのドア装置を示す構成図である。
【図２】図１の乗場出入口の全閉状態を示す構成図である。
【図３】図１，２の敷居部材の周辺を拡大して示す構成図である。
【図４】図３のＩＶ−ＩＶ線に沿う断面図である。
【図５】図３のＶ−Ｖ線に沿う断面図である。
【図６】図２のＶＩ−ＶＩ線に沿う断面図である。
【発明を実施するための形態】
【０００９】
以下、この発明を実施するための形態について、図面を参照して説明する。
実施の形態１．
図１は、この発明の実施の形態１によるエレベータのドア装置を示す構成図である。図２は、図１の乗場出入口１の全閉状態を示す構成図である。図３は、図１，２の敷居部材１０の周辺を拡大して示す構成図である。図４は、図３のＩＶ−ＩＶ線に沿う断面図である。図５は、図３のＶ−Ｖ線に沿う断面図である。図６は、図２のＶＩ−ＶＩ線に沿う断面図である。なお、図１は、乗場出入口１の全開状態を示す。また、図１，２は、乗場出入口１を昇降路側から見た状態を示す。
【００１０】
図１〜６において、エレベータ出入口としての乗場出入口１には、乗場ドア装置２が設けられている。乗場ドア装置２は、乗場出入口１を開閉する。また、乗場ドア装置２は、一対のドアパネル３，４と、ハンガレール５と、複数のハンガローラ６と、敷居部材１０と、複数の案内片（扉ガイド用突起物）１１と、戸袋側案内部材（凸扉ガイド）１２と、磁気遮断（遮蔽）部材１３とを有している。
【００１１】
ハンガレール５は、乗場出入口１の間口方向（図１，２の左右方向）に沿って、昇降路の内壁における乗場出入口１の上方に取り付けられている。ハンガローラ６は、ハンガレール５の上部に転動可能に配置されている。ドアパネル３，４の上部は、ハンガローラ６に接続されている。即ち、ドアパネル３，４は、ハンガローラ６を介して、ハンガレール５から吊り下げられている。また、ハンガローラ６がハンガレール５上を転動することによって、ドアパネル３，４は、乗場出入口１における全開位置と全閉位置との間で、移動可能になっている。
【００１２】
ここで、ドアパネル３，４には、乗場側係合機構（図示せず）が設けられている。この乗場側係合機構は、かごドアパネル（図示せず）に設けられたかご側係合機構（図示せず）と係合可能になっている。ドアパネル３，４は、乗場側係合機構及びかご側係合機構が係合しているときに、かごドアパネルから開閉駆動力を受けて、開閉移動される。
【００１３】
また、ドアパネル３，４の下端面には、断面凹状（上下逆向きの凹状）の案内溝３ａ，４ａが乗場出入口１の間口方向に沿って設けられている。さらに、ドアパネル３，４の下端部における案内溝３ａ，４ａの上側には、磁気遮断部材１３が挿し込まれる挿入口３ｂ，４ｂが設けられている。また、ドアパネル３，４の下端部における挿入口３ｂ，４ｂの上側には、変位駆動手段及び磁気吸引手段としての複数の磁石７が取り付けられている。複数の磁石７は、ドアパネル３，４の下端部における全開位置側と全閉位置側とにそれぞれ配置されている。
【００１４】
敷居部材１０は、乗場出入口１の下方に、乗場出入口１の間口方向に沿って配置されている。敷居部材１０の上面部には、乗場出入口１の間口方向（敷居部材１０の長手方向：図１の左右方向）に沿って、敷居溝１０ａが設けられている。敷居部材１０の上面部における敷居溝１０ａの縁部１０ｂ，１０ｃは、敷居溝１０ａの中心側へ突出している。
【００１５】
複数の案内片１１は、乗場出入口１の間口方向で互いに隣り合うように、敷居溝１０ａに並べて設けられている。また、複数の案内片１１は、乗場出入口１における開口領域（図１，２の左側）に対応するように配置されている。さらに、案内片１１の形状は、図４に示すように、断面Ｔ字状であり、案内片１１は、第１上面１１ａと、第２上面１１ｂと、第３上面１１ｃとを有している。
【００１６】
また、案内片１１は、敷居部材１０の上面から上方へ突出する突出位置と、敷居溝１０ａに収まる降下位置との間で変位可能となっている。さらに、案内片１１は、強磁性体の金属によって形成されている。また、案内片１１は、磁石７の磁力を受けたときに、降下位置から突出位置へ変位し、磁石７の磁力が途切れたとき（弱まったとき）に、重力に従い突出位置から降下位置へ変位する。
【００１７】
ここで、図２に示すように、複数の案内片１１のうち、磁石７と上下方向で対応する案内片１１のみが、磁石７により吸引されて、突出位置に配置される。即ち、複数の案内片１１のそれぞれは、ドアパネル３，４の開閉移動に伴って（ドアパネル３，４の位置に応じて）、磁石７の磁力により突出位置と降下位置との一方から他方へ変位される。
【００１８】
さらに、案内片１１が降下位置に配置されているときには、第１上面１１ａが敷居部材１０の上面と面一となっている。即ち、案内片１１の形状は、降下位置に配置されているときに、その案内片１１の第１上面１１ａと敷居部材１０の上面とが面一となるような形状である。
【００１９】
また、案内片１１は、突出位置に配置されているときに、図６に示すように、案内溝３ａの内壁（内壁の側面部）と当接可能であり、案内溝３ａの内壁と当接することにより、ドアパネル３の下部の開閉移動を案内する。また、案内片１１は、案内溝３ａの内壁と当接することにより、ドアパネル３の乗場出入口１の奥行方向（図１，２の紙面手前・奥側）への揺動を規制する。なお、案内片１１及びドアパネル４の関係についても、ドアパネル３の場合と同様である。
【００２０】
ここで、案内片１１が磁石７の磁力によって吸引されたときに、第２，３上面１１ｂ，１１ｃは、敷居部材１０の縁部１０ｂ，１０ｃの下面に当接し、案内片１１の突出位置から上方への変位が規制される。即ち、縁部１０ｂ，１０ｃは、案内片１１についての抜け止め構造をなしている。
【００２１】
戸袋側案内部材１２は、敷居部材１０の上面における戸袋領域（図１，２の右側）に、乗場出入口１の間口方向に沿って配置されている。また、戸袋側案内部材１２は、敷居部材１０の上面から上方へ突出するように配置されている。さらに、戸袋側案内部材１２は、案内溝３ａ又は４ａの内壁と当接可能であり、案内溝３ａ又は４ａの内壁と当接することにより、ドアパネル３又は４の戸袋領域での開閉移動を案内する。
【００２２】
磁気遮断部材１３は、図３に示すように、敷居部材１０に取り付けられている。また、磁気遮断部材１３の形状は、板状である。さらに、磁気遮断部材１３は、戸袋領域における敷居部材１０の上面から間隔をおいて、乗場出入口１の間口方向に沿って配置されている。また、磁気遮断部材１３は、ドアパネル３（又は４）が全閉位置から全開位置に移動しドアパネル３（又は４）が戸袋領域に進入した際に、挿入口３ｂ（又は４ｂ）からドアパネル３（又は４）の内部に入り込む。磁気遮断部材１３は、例えば反磁性体等によって形成されており、磁石７による磁界を消滅（減衰）させる。
【００２３】
ここで、図５に示すように、敷居部材１０の敷居溝１０ａの底部における戸袋側案内部材１２の乗場出入口１の間口方向両側には、磁気遮断部材１３から臨むように、昇降路と空間的に繋がる開口１０ｄがそれぞれ空けられている。そして、ドアパネル３（又は４）が全閉位置に配置されているときに、磁石７の磁力によって、ドアパネル３（又は４）の下端部に吸着された金属の異物については、ドアパネル３（又は４）が戸袋領域に進入した際に、磁気遮断部材１３によって、磁石７による吸引状態が解除され、開口１０ｄを通じて昇降路に放出される。
【００２４】
次に、動作について説明する。ドアパネル３，４が全閉位置に配置されているときには、複数の案内片１１のうち磁石７のほぼ下方に配置された案内片１１が、磁石７の磁力によって吸引されて、突出位置に配置される。ドアパネル３，４が全閉位置から全開位置へ移動する際には、そのドアパネル３，４及び磁石７の移動に従って、異なる案内片１１が磁石７の磁気によって吸引されて降下位置から突出位置へ変位する。これとともに、突出位置に配置されていた案内片１１については、磁石７の磁力が途切れたことにより、突出位置から降下位置へ変位する。つまり、ドアパネル３，４及び磁石７の移動に従って、突出位置に配置される案内片１１が順次切り替わる。
【００２５】
また、乗場出入口１の開口領域でのドアパネル３，４の下部の開閉移動は、案内溝３ａ，４ａの内壁と案内片１１とが当接することによって案内され、戸袋領域でのドアパネル３，４の下部の開閉移動は、案内溝３ａ，４ａの内壁と戸袋側案内部材１２とが当接することによって案内される。これとともに、ドアパネル３，４の乗場出入口１の奥行方向への揺動は、案内溝３ａ，４ａの内壁と、案内片１１又は戸袋側案内部材１２とが当接することによって規制される。なお、全開位置から全閉位置へ移動する場合についても同様である。
【００２６】
以上のように、実施の形態１のエレベータのドア装置によれば、突出位置に配置された案内片１１が、案内溝３ａ，４ａの内壁と当接することにより、ドアパネル３，４の下部の開閉移動を案内する。この構成により、従来のドアシューが不要となることにより、従来の敷居溝及びドアシューに起因する開閉動作の不具合の発生を抑えることができる。即ち、従来の敷居溝に異物（小石等）が堆積することに起因する開閉不具合の発生が抑えられる。これに加えて、開閉中のドアパネルに強い衝撃が加わった場合においても、ドアシューの変形に伴う開閉不具合が生じることはない。
【００２７】
また、案内片１１の形状は、降下位置に配置されているときに、その案内片１１の上面と敷居部材１０の上面とが面一となるような形状である。この構成により、敷居溝１０ａでの利用者の躓きの発生を抑えることができる。
【００２８】
さらに、ドアパネル３，４が全閉位置に配置されているときに磁石７の磁力によってドアパネル３，４の下端部に吸着された金属の異物が、ドアパネル３，４が全閉位置から全開位置へ移動した際に、磁気遮断部材１３によって、磁石７による吸引状態が解除され、開口１０ｄを通じて昇降路に放出される。この構成により、敷居溝１０ａでの金属の異物の堆積を抑えることができる。
【００２９】
なお、実施の形態１では、乗場ドア装置について説明した。しかしながら、この発明は、かごドア装置についても適用することができる。
【００３０】
また、実施の形態１では、中央開き式のドア装置について説明した。しかしながら、この発明は、片開き式のドア装置についても適用することができる。
【００３１】
さらに、実施の形態１における敷居溝１０ａの底部、及び案内溝３ａ，４ａの内壁の少なくともいずれか一方に、例えばゴム等の衝撃吸収部材（吸音部材）を取り付けてもよい。これにより、案内片１１の変位に伴う動作音、及び案内片１１と案内溝３ａ，４ａの内壁とが当接する際の動作音の少なくともいずれか一方を軽減させることができる。
【００３２】
また、実施の形態１における挿入口３ｂ、開口１０ｄ、戸袋側案内部材１２及び磁気遮断部材１３を省略することもできる。この場合、案内片１１を戸袋領域にも配置すればよい。
【００３３】
さらに、実施の形態１における磁石７に代えて、電磁石を磁気吸引手段として用いることもできる。
【符号の説明】
【００３４】
１  乗場出入口（エレベータ出入口）、２  乗場ドア装置、３，４  ドアパネル、３ａ，４ａ  案内溝、３ｂ，４ｂ  挿入口、７  磁石（変位駆動手段、磁気吸引手段）、１０  敷居部材、１０ａ  敷居溝、１０ｄ  開口、１１  案内片、１２  戸袋側案内部材、１３  磁気遮断部材。
【図１】
2011006209.tif 000003
【図２】
2011006209.tif 000004
【図３】
2011006209.tif 000005
【図４】
2011006209.tif 000006
【図５】
2011006209.tif 000007
【図６】
2011006209.tif 000008